(57)【特許請求の範囲】
【請求項１】
複数の綴じ足を有する綴じ具において、
該綴じ足が突設された平面略長方形の板状の挟持部と該挟持部に連設された平面略長方形の板状の固定部とがプラスチックで一体成形され、
該挟持部と該固定部とは離隔した位置に形成され、
前記固定部には、挟持部に突設された左右一対の綴じ足を結んだ線と略平行線上で該綴じ足の間を結んだ範囲と離隔した位置に表紙等の被固定体に固定するための左右一対の孔が形成され、
前記孔は、その孔内にかしめ具を挿入し、被固定体とともに該かしめ具をかしめるか、またはその孔の周囲を被固定体に熱溶着して、前記固定部が被固定体に固定されるように形成され、
前記挟持部と前記固定部とを折り曲げることができるように折曲部が形成され、
前記折曲部は、前記孔を結んだ線上において固定部の一端から他端にわたって表面より凹んだ略直線状薄肉部が形成され、且つ、前記挟持部側の孔の周囲においては、孔の外周より適宜な間隔をおいて、前記綴じ足が立ち上がる側表面より裏面にわたって貫通する折曲孔が形成され、
前記折曲孔は、その両端が孔の近傍の前記薄肉部の端縁と連続して形成され、
前記綴じ足は、挟持部材が挟持部に固定されたとき、折曲部において挟持部を固定部側に向けて折り曲げられ且つ固定部をかしめるか熱溶着できるように形成された、綴じ具。
【請求項２】
板状の挟持部に突設された左右一対の綴じ足を結んだ線と略平行線上に、板状の固定部に左右一対の丸孔が形成され、
前記一対の丸孔の中心を結んだ線上において、固定部の一端から他端において前記綴じ足が立ち上がる側表面より凹んだ薄肉部が形成され、且つ、前記丸孔の周囲においては、挟持部側で丸孔の外周より適宜な間隔をおいて、半円弧状の幅狭の折曲孔が形成され、該折曲孔が前記薄肉部と連続して形成された、請求項１に記載の綴じ具。
【請求項３】
前記綴じ足が挿入されて固定された挟持部材が、表紙等の被固定体に固定するための孔に重ならないように規制された、請求項１または請求項２に記載の綴じ具。
【請求項４】
前記薄肉部は、前記綴じ足が立ち上がる側表面より凹んだ略直線状に形成され、且つ、前記折曲孔は、前記薄肉部と連続して形成されるとともに、前記綴じ足は、前記挟持部と対向して配置される挟持部材に穿設された綴じ孔と綴じ孔との間の間隔に対応し且つ該綴じ孔に挿入できるように形成された、請求項１ないし３のいずれかに記載の綴じ具。
【発明の詳細な説明】
【０００１】
【発明の属する技術分野】
この発明は、綴じ具に関し、特にたとえば、綴じ込もうとする用紙などに形成された綴じ孔に挿通するための綴じ足を備え、ファイル表紙等に固定して用いる、綴じ具に関する。
【０００２】
【従来の技術】
従来の複数の綴じ足を有する綴じ具においては、複数の綴じ足の間において、かしめ鋲などをかしめて表紙に取り付けていた。
【０００３】
【発明が解決しようとする課題】
ところが、従来の綴じ具においては、押さえと称する挟持部材に穿設された孔に綴じ足を嵌挿して、挟持部材を綴じ足に取り付けた状態においては、かしめ鋲などをかしめて綴じ具を表紙に取り付けることはできない。
すなわち、表紙等に綴じ具を取り付けた後、挟持部材を綴じ足に固定する必要性がある。
したがって、表紙に綴じ具を取り付けるラインにおいては、綴じ具を表紙に取り付けた後挟持部材を綴じ足に嵌装して固定する必要性がある。
そのために、表紙に綴じ具を取り付けるときに手間どり、製造時間を要し、コストがアップする要因となる。
【０００４】
それゆえに、この発明の主たる目的は、複数の綴じ足を有する綴じ具において、あらかじめ綴じ足に挟持部材を固定した状態で、表紙等の被固定体に綴じ具を固定することができる、綴じ具を提供することである。
【０００５】
【課題を解決するための手段】
この発明の請求項１にかかる綴じ具は、複数の綴じ足を有する綴じ具において、該綴じ足が突設された平面略長方形の板状の挟持部と該挟持部に連設された平面略長方形の板状の固定部とがプラスチックで一体成形され、該挟持部と該固定部とは離隔した位置に形成され、前記固定部には、挟持部に突設された左右一対の綴じ足を結んだ線と略平行線上で該綴じ足の間を結んだ範囲と離隔した位置に表紙等の被固定体に固定するための左右一対の孔が形成され、前記孔は、その孔内にかしめ具を挿入し、被固定体とともに該かしめ具をかしめるか、またはその孔の周囲を被固定体に熱溶着して、前記固定部が被固定体に固定されるように形成され、前記挟持部と前記固定部とを折り曲げることができるように折曲部が形成され、前記折曲部は、前記孔を結んだ線上において固定部の一端から他端にわたって表面より凹んだ略直線状薄肉部が形成され、且つ、前記挟持部側の孔の周囲においては、孔の外周より適宜な間隔をおいて、前記綴じ足が立ち上がる側表面より裏面にわたって貫通する折曲孔が形成され、前記折曲孔は、その両端が孔の近傍の前記薄肉部の端縁と連続して形成され、前記綴じ足は、挟持部材が挟持部に固定されたとき、折曲部において挟持部を固定部側に向けて折り曲げられ且つ固定部をかしめるか熱溶着できるように形成された、綴じ具である。
この発明の請求項２にかかる綴じ具は、板状の挟持部に突設された左右一対の綴じ足を結んだ線と略平行線上に、板状の固定部に左右一対の丸孔が形成され、前記一対の丸孔の中心を結んだ線上において、固定部の一端から他端において前記綴じ足が立ち上がる側表面より凹んだ薄肉部が形成され、且つ、前記丸孔の周囲においては、挟持部側で丸孔の外周より適宜な間隔をおいて、半円弧状の幅狭の折曲孔が形成され、該折曲孔が前記薄肉部と連続して形成された、請求項１に記載の綴じ具である。
この発明の請求項３にかかる綴じ具は、前記綴じ足が挿入されて固定された挟持部材が、表紙等の被固定体に固定するための孔に重ならないように規制された、請求項１または請求項２に記載の綴じ具である。
この発明の請求項４にかかる綴じ具は、前記薄肉部は、前記綴じ足が立ち上がる側表面より凹んだ略直線状に形成され、且つ、前記折曲孔は、前記薄肉部と連続して形成されるとともに、前記綴じ足は、前記挟持部と対向して配置される挟持部材に穿設された綴じ孔と綴じ孔との間の間隔に対応し且つ該綴じ孔に挿入できるように形成された、請求項１ないし３のいずれかに記載の綴じ具である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１は、この発明の一実施の形態である綴じ具の使用状態を示す斜視図解図である。
図２は、図１に示す綴じ具の斜視図解図である。
この綴じ具１０は、たとえばポリプロピレン等のプラスチックによって一体的に形成されている。
この綴じ具１０は、たとえば、ファイル表紙に取り付けられる雄部材１２を含み、雄部材１２は、複数の綴じ足２０ａ，２０ｂを有し、該綴じ足２０ａ，２０ｂに用紙等を綴じ込むためのファイルの綴じ具として用いられる。そして、綴じ足２０ａ，２０ｂは、押さえと称する、雌部材として用いられる平面略長方形の板状の挟持部材６０に穿設された綴じ孔６２ａ，６２ｂに挿入される。
綴じ足２０ａと綴じ足２０ｂとは、挟持部材６０の綴じ孔６２ａと綴じ孔６２ｂとの間の間隔に対応して形成され、綴じ足２０ａと綴じ足２０ｂの太さも、挟持部材６０の綴じ孔６２ａおよび綴じ孔６２ｂに挿入できるように形成され、綴じ足２０ａ，２０ｂを用紙等に形成された綴じ孔に挿入して綴じることができるように構成されている。
【０００８】
雄部材１２は、左右一対の綴じ足２０ａ，２０ｂを有する平面略長方形の板状の挟持部２２と、該挟持部２２の幅方向において挟持部２２と連結された平面略長方形の板状の固定部４０とがポリプロピレン等のプラスチックで一体成形されている。
【０００９】
挟持部２２は、平面略長方形の板状で、その長手方向両端縁に、左右一対の綴じ足２０ａ，２０ｂが上方に向けて平行に立ち上がるように形成されている。
綴じ足２０ａ，２０ｂの根元部分は、用紙の綴じ孔と係合させるための綴り体として用いられる。
この綴じ足２０ａ，２０ｂの長さは、この綴じ具１０に綴じ込むことができる用紙の厚みの最大限となる。
また、両綴じ足２０ａ，２０ｂの先端部分には、両綴じ足２０ａ，２０ｂにおいて互いに逆方向に向く外側の面に、根元近傍から先端にわたって直線状に延びる、断面略凹字形状の嵌合部２４が形成される。
嵌合部２４は、保持手段の一部を構成するものであり、後述する挟持部材６０の断面略凸字形状の嵌合部６４に着脱自在に嵌合させるためのものである。
【００１０】
挟持部２２の左側部には、折曲部３０を介して、挟持部２２の綴じ足２０ａと綴じ足２０ｂとを結んだ線と離隔した位置に、平面方形板状の固定部４０が形成されている。
固定部４０は、左右一対の綴じ足２０，２０ｂを結んだ線と略平行線上に左右一対の丸孔４２ａ，４２ｂが形成され、前記固定部４０に穿設された丸孔４２ａ，４２ｂが表紙等の被固定体Ａに固定するための貫通孔を構成する。
該丸孔４２ａ，４２ｂは、その孔内にかしめ具を挿入し、被固定体Ａとともに該かしめ具をかしめ、固定部４０を被固定体Ａに固定するか、または前記丸孔４２ａ，４２ｂの周縁近傍を熱溶着して、被固定体Ａに固定部４０を溶着固定するように形成されている。
丸孔４２ａ，４２ｂは、丸孔４２ａ，４２ｂの周囲を加熱して溶融させ熱溶着したとき、固定部４０を構成する合成樹脂が溶融し、丸孔４２ａ，４２ｂ内にはみ出し、略丸孔４２ａ，４２ｂ全域を埋めるように構成されている。
【００１１】
前記折曲部３０は、挟持部２２と固定部４０とを折り曲げることができるように構成され、前記一対の丸孔４２ａ，４２ｂを結んだ線と平行線上において固定部４０の一端から他端にわたって、略直線状の薄肉部３２が形成され、且つ、前記丸孔４２ａ，４２ｂの周囲においては挟持部２２の側で丸孔４２ａ，４２ｂの外周より適宜な間隔をおいて、平面半円弧状の幅狭の折曲孔３４ａ，３４ｂが形成されてなる。
薄肉部３２は、綴じ足２０ａ，２０ｂの立ち上がる側表面より断面Ｕ字状に凹んで形成され、該折曲孔３４ａ，３４ｂの両端は、前記薄肉部３２の丸孔４２ａ，４２ｂ近傍の端縁と連続して形成されている。
折曲孔３４ａおよび折曲孔３４ｂは、雄部材１２の表面から裏面にわたって貫通する細孔である。
したがって、折曲部３０を構成する薄肉部３２において、挟持部２２と固定部４０とを上面側（綴じ足２０ａおよび綴じ足２０ｂが立ち上がる側）に向けて折り曲げることができる。
【００１２】
挟持部材６０は、ポリプロピレン，ＡＢＳ樹脂などのプラスチックからなる短冊状体で、押さえと称されるものであり、雌部材として用いられる。
挟持部材６０は、前記挟持部２２と対向して配置され、挟持部材６０との間に綴じ込もうとする用紙等を挟持するためのものである。
挟持部材６０には、図８ないし図１０に示すように、２つの綴じ足２０ａ，２０ｂと略対応する位置に、２つの綴じ孔６２ａ，６２ｂが一定の間隔をおいてそれぞれ形成される。綴じ孔６２ａ，６２ｂは、図８に示すように、綴じ足２０ａ，２０ｂが挿通される貫通孔である。
さらに、挟持部材６０には、２つの綴じ孔６２ａ，６２ｂより長手方向外側に向けて延びる断面略凸字形状嵌合部６４が形成される。
嵌合部６４は、挟持部２２の嵌合部２４と嵌合する構造を有し、その中央に断面きのこ状凸条部６６が前記綴じ足２０ａ，２０ｂの立ち上がり方向に向けて形成され、きのこ状凸条部６６の両側に、凹条部６８がきのこ状凸条部６６と平行に形成されている。
そして、挟持部２２の嵌合部２４の凹条部２６に、この挟持部材６０の凸条部６６が嵌合されて固定される。
【００１３】
挟持部材６０は、一定の幅を有する平面略長方形であるが、挟持部材６０の綴じ孔６２ａおよび綴じ孔６２ｂに綴じ足２０ａおよび綴じ足２０ｂを挿通し、嵌合部２４を嵌合部６４に嵌合して、挟持部材６０を雄部材１２に固定した状態において、前記丸孔４２ａ，４２ｂの周縁近傍を被固定体Ａに熱溶着することができるようにその幅が規制されている。すなわち、挟持部材６０の綴じ孔６２ａおよび綴じ孔６２ｂに綴じ足２０ａおよび綴じ足２０ｂが挿通され、嵌合部２４を嵌合部６４に嵌合して、挟持部材６０を雄部材１２に固定した状態において、綴じ孔６２ａおよび綴じ孔６２ｂに最も近い挟持部材６０の端縁７０が、丸孔４２ａ及び４２ｂに重ならないように、限定されている。
この実施の形態においては、挟持部材６０の幅は、折曲部３０において挟持部２２を固定部４０側に向けて折り曲げたとき、挟持部材６０が折り曲げの障害とならないように、挟持部材６０の端縁７０が折曲部３０の薄肉部３２より挟持部２２側に位置する幅に規制されている。
【００１４】
この綴じ具１０では、綴じ足２０ａ，２０ｂの根元部分を曲げ且つ綴じ足２０ａ，２０ｂの先端部分を挟持部材６０上に配置した状態で保持するための保持手段が構成される。この場合、綴じ足２０ａ，２０ｂの嵌合部２４は、挟持部材６０の嵌合部６４の凸条部６６の先端に押し当てて押圧すると、押し開かれるようにして開口する。引き続き押圧し、凸条部６６が凹条部２６の内部に嵌まり込むと、凹条部２６は、元の形状に復元して凸条部６６に留め付けられる。この状態においては、使用者が凸条部６６と凹条部２６とを引き離す方向に力を加えない限り両者は離れずしっかりと嵌合される。使用者が凸条部６６と凹条部２６とを引き離す方向に力を加えた場合には、上述と逆の作用により、両者の嵌合が外されて引き離される。
【００１５】
この綴じ具１０は、図１１に示すように、表紙等の被固定体Ａ、特にたとえば背表紙近傍の綴じ代に固定される。被固定体Ａに綴じ具１０を固定するときには、雄部材１２の綴じ足２０ａおよび綴じ足２０ｂに挟持部材６０を固定した状態、すなわち、挟持部材６０の綴じ孔６２ａおよび綴じ孔６２ｂに綴じ足２０ａおよび綴じ足２０ｂを挿通し、嵌合部２４を嵌合部６４に嵌合して、挟持部材６０を雄部材１２に固定した状態において、前記丸孔４２ａ，４２ｂの周縁近傍を被固定体Ａに熱溶着することができる。そして、被固定体Ａに固定部４０を溶着固定されたときは、図１１ないし図１３に示すように、丸孔４２ａ，４２ｂの周囲を加熱して溶融させ熱溶着したときに、固定部４０を構成する合成樹脂が溶融し、丸孔４２ａ，４２ｂ内にはみ出し、丸孔４２ａ，４２ｂのほぼ全域を埋める。
したがって、雄部材１２と挟持部材６０とを別々に離した状態において、被固定体Ａに固定部４０を固定する熱溶着作業をする必要性がない。
【００１６】
【発明の効果】
この発明によれば、複数の綴じ足を有する綴じ具において、綴じ足に挟持部材を固定したまま表紙等の被固定体に綴じ具を固定することができる、綴じ具を得ることができる。
【図面の簡単な説明】
【図１】この発明の一実施の形態である綴じ具の使用状態を示す斜視図解図である。
【図２】図１に示す綴じ具の斜視図解図である。
【図３】図１に示す綴じ具の正面図である。
【図４】図１に示す綴じ具の側面図である。
【図５】図３図示のＡ−Ａ断面図である。
【図６】図３図示のＢ−Ｂ断面図である。
【図７】図３図示のＣ−Ｃ断面図である。
【図８】図１に示す挟持部材の正面図である。
【図９】図８図示のＡ−Ａ断面図である。
【図１０】図８図示のＢ−Ｂ断面図である。
【図１１】綴じ具を表紙に取り付けた状態を示す斜視図解図である。
【図１２】綴じ具を表紙に取り付けた状態を示す斜視図解図である。
【図１３】綴じ具を表紙に取り付けた状態を示す斜視図解図である。
【符号の説明】
１０  綴じ具
１２  雄部材
２０ａ，２０ｂ  綴じ足
２２  挟持部
２４  嵌合部
２６  凹条部
３０  折曲部
３２  薄肉部
３４ａ，３４ｂ  折曲孔
４０  固定部
４２ａ，４２ｂ  丸孔
６０  挟持部材
６２ａ，６２ｂ  綴じ孔
６４  嵌合部
６６  凸条部
６８  凹条部
７０  端縁
Ａ  被固定体
【図１】
0003602815.tif 000002
【図２】
0003602815.tif 000003
【図３】
0003602815.tif 000004
【図４】
0003602815.tif 000005
【図５】
0003602815.tif 000006
【図６】
0003602815.tif 000007
【図７】
0003602815.tif 000008
【図８】
0003602815.tif 000009
【図９】
0003602815.tif 000010
【図１０】
0003602815.tif 000011
【図１１】
0003602815.tif 000012
【図１２】
0003602815.tif 000013
【図１３】
0003602815.tif 000014